(57)【要約】  【課題】  高温試験を行っても変形しないトレイパネルを備えた情報記録再生装置を提供する。  【解決手段】  ディスクトレイ８が装置本体より送出する方向に移動すると、ディスクトレイ８により押されてトレイパネル５が開かれ、更にディスクトレイ８が移動すると、トレイパネル５の下部付近の所定箇所に設けられているローラ６がディスクトレイ８のローラ当接溝１３に当接して回転した状態で、ディスクトレイ８が装置本体の外側の所定位置まで導かれる。トレイパネル５が開いた後、ディスクトレイ８は、トレイパネル５には直接接触せず、ローラ６と当接して移動する。このようなトレイパネル５は、ばねを使用していないので、装置の高温試験を行っても変形することがない。【選択図】      図５
2005302174.tif 000002
【特許請求の範囲】
【請求項１】
装置本体の前面に設けられたフロントパネルと、該フロントパネルの所定箇所に設けら
れ装置本体に対してディスクトレイが出し入れされる挿入口と、前記ディスクトレイの移
動動作に連動させて前記挿入口の開閉を行うトレイパネルとを有する情報記録再生装置に
おいて、前記ディスクトレイの移動方向に沿った両端辺にそれぞれローラ当接溝を設ける
と共に、前記ディスクトレイの移動によって前記挿入口が開いて前記ディスクトレイが移
動しているときに前記ローラ当接溝に当接するように前記トレイパネルの下部付近の所定
箇所にローラを設け、該ローラの軸芯を前記トレイパネルの下部付近の所定箇所に予め形
成されたローラ軸受け部の軸穴に嵌め込み、前記ローラを前記ローラ軸受け部に対して回
転自在に設けたことを特徴とする情報記録再生装置。
【請求項２】
装置本体の前面に設けられたフロントパネルと、該フロントパネルの所定箇所に設けら
れ装置本体に対してディスクトレイが出し入れされる挿入口と、前記ディスクトレイの移
動動作に連動させて前記挿入口の開閉を行うトレイパネルとを有する情報記録再生装置に
おいて、前記ディスクトレイの移動によって前記挿入口が開いて前記ディスクトレイが移
動しているときに前記ディスクトレイの所定ラインに当接するように前記トレイパネルの
所定箇所にローラを設けたことを特徴とする情報記録再生装置。
【請求項３】
前記所定ラインとは、前記ディスクトレイの移動方向に沿った両端辺にそれぞれ設けら
れたローラ当接溝であることを特徴とする請求項２に記載の情報記録再生装置。
【請求項４】
前記トレイパネルの所定箇所とは、前記ディスクトレイの移動によって前記挿入口が開
いて前記ディスクトレイが移動しているときに前記ローラ当接溝に当接するような前記ト
レイパネルの下部付近の箇所であることを特徴とする請求項２または請求項３に記載の情
報記録再生装置。
【請求項５】
前記ローラの軸芯を前記トレイパネルの下部付近の所定箇所に予め形成されたローラ軸
受け部の軸穴に嵌め込み、前記ローラを前記ローラ軸受け部に対して回転自在に設けたこ
とを特徴とする請求項２に記載の情報記録再生装置。
【発明の詳細な説明】
【技術分野】
【０００１】
本発明は、記録媒体に情報を記録したり、記録媒体に記録された情報を再生したりする
情報記録再生装置に関し、特に、記録媒体としての光ディスクが載置されるディスクトレ
イの移動動作に連動させて挿入口の開閉を行うトレイパネルの開閉機構に関する。
【背景技術】
【０００２】
この種の情報記録再生装置は、装置本体の前面に設けられたフロントパネルと、該フロ
ントパネルの所定箇所に設けられ装置本体に対してディスクトレイが出し入れされる挿入
口と、前記ディスクトレイの移動動作に連動させて前記挿入口の開閉を行うトレイパネル
とを有している。図７は、この種の情報記録再生装置の概略的な外観を示す斜視図である
。
【０００３】
図７において、７１は装置本体の大部分を構成するシャーシカバーを示し、このシャー
シカバー７１の内部には、装置本体の主要部を構成するシャーシが収容されている。そし
て、そのシャーシの前面にフロントパネル７２が取り付けられている。７３はフロントパ
ネル７２の所定箇所に設けられ装置本体に対してディスクトレイが出し入れされる挿入口
を示し、７４は前記ディスクトレイの移動動作に連動させて挿入口７３の開閉を行うトレ
イパネルを示す。
【０００４】
図８は従来のトレイパネルおよびその開閉機構の概略的な背面図である。図８において
、７５はフロントパネル７２の裏面に形成された一方のレバー軸受けを示し、７７はトレ
イパネル７４を支持する一方の支持レバーを示し、この支持レバー７７の先端部には一方
の支軸７６が形成されている。この支軸７６はレバー軸受け７５に回動自在に嵌め込まれ
ている。また、７９はフロントパネル７２の裏面に形成された他方のレバー軸受けを示し
、７８はトレイパネル７４を支持する他方の支持レバーを示し、この支持レバー７８の先
端部には他方の支軸８０が形成されている。この支軸８０はレバー軸受け７９に回動自在
に嵌め込まれている。また、支軸８０には、ばね８１が装着されており、支軸７６，８０
を中心にトレイパネル７４を閉める方向に付勢している。
【特許文献１】特開平８−１２９８１５号公報
【発明の開示】
【発明が解決しようとする課題】
【０００５】
ところで、工場などにおいては、情報記録再生装置の高温試験が行われるが、トレイパ
ネル７４がプラスチックで形成されているので、高温で変形する場合がある。その理由は
、支軸７６，８０を中心にトレイパネル７４を閉める方向に付勢できるように、ばね８１
を縮めた状態で支軸８０に装着しており、これにより、常にばね８１が伸張しようとして
、矢印の方向に力が作用する。したがって、情報記録再生装置の高温試験ではトレイパネ
ル７４が変形を起こし、開閉が正常にできなくなる場合が生じる。
【０００６】
なお、特許文献１の従来技術は、水平姿勢状態を保持して扉を上下動作させることがで
きるようにしたものであり、扉を支軸を中心に開閉させる構造のものではない。また、コ
イルばねを用いて扉を閉じるようにしているが、扉がプラスチック製であると、ばね力に
より高温試験で扉が変形する場合もある。
【０００７】
本発明は、上記のような課題を解決するためになされたもので、高温試験を行っても変
形しないトレイパネルを備えた情報記録再生装置を提供することを目的とする。
【課題を解決するための手段】
【０００８】
上記目的を達成するために、請求項１の発明は、装置本体の前面に設けられたフロント
パネルと、該フロントパネルの所定箇所に設けられ装置本体に対してディスクトレイが出
し入れされる挿入口と、前記ディスクトレイの移動動作に連動させて前記挿入口の開閉を
行うトレイパネルとを有する情報記録再生装置において、前記ディスクトレイの移動方向
に沿った両端辺にそれぞれローラ当接溝を設けると共に、前記ディスクトレイの移動によ
って前記挿入口が開いて前記ディスクトレイが移動しているときに前記ローラ当接溝に当
接するように前記トレイパネルの下部付近の所定箇所にローラを設け、該ローラの軸芯を
前記トレイパネルの下部付近の所定箇所に予め形成されたローラ軸受け部の軸穴に嵌め込
み、前記ローラを前記ローラ軸受け部に対して回転自在に設けたことを特徴とする情報記
録再生装置を提供する。
【０００９】
この構成において、ディスクトレイが装置本体より送出する方向に移動すると、前記デ
ィスクトレイにより押されてトレイパネルが開かれ、更に前記ディスクトレイが移動する
と、前記トレイパネルの下部付近の所定箇所に設けられているローラが前記ディスクトレ
イのローラ当接溝に当接して回転した状態で、前記ディスクトレイが装置本体の外側の所
定位置まで導かれる。また、前記ディスクトレイが装置本体に収納されるときは、前記ト
レイパネルのローラが、同じく前記ディスクトレイのローラ当接溝に当接して逆回転した
状態で、前記ディスクトレイが、装置本体に収納される方向に移動し、前記トレイパネル
からは離れると、前記トレイパネルが閉じられる。
【００１０】
この構成によれば、トレイパネルが開いた後、ディスクトレイは、トレイパネルには直
接接触せず、トレイパネルに設けられたローラと当接して移動するので、トレイパネルお
よびディスクトレイは磨耗せず、ディスクトレイはスムーズに移動でき、また、ばねを使
用せずに自重でトレイパネルを閉じることができる。したがって、このようなトレイパネ
ルは、装置の高温試験を行っても変形することがないので、品質の高い情報記録再生装置
を提供できる。また、従来のように、トレイパネルを閉じる方向に付勢するばねが不要と
なるので、ばねのコストおよび、その取り付け作業コストから見ても、その分コストダウ
ンを図れる。
【００１１】
また、前記ローラの軸芯を前記トレイパネルの下部付近の所定箇所に予め形成されたロ
ーラ軸受け部の軸穴に嵌め込み、前記ローラを前記ローラ軸受け部に対して回転自在に設
けたので、前記ディスクトレイの送出方向の移動によりトレイパネルが開いた後、前記ト
レイパネルのローラが回転可能になる構造を実現できる。しかも、前記ローラの軸芯を前
記ローラ軸受け部に簡単に嵌め込むことができるので、作業効率が良く、コストダウンに
も貢献できる。
【００１２】
請求項２の発明は、装置本体の前面に設けられたフロントパネルと、該フロントパネル
の所定箇所に設けられ装置本体に対してディスクトレイが出し入れされる挿入口と、前記
ディスクトレイの移動動作に連動させて前記挿入口の開閉を行うトレイパネルとを有する
情報記録再生装置において、前記ディスクトレイの移動によって前記挿入口が開いて前記
ディスクトレイが移動しているときに前記ディスクトレイの所定ラインに当接するような
前記トレイパネルの所定箇所にローラを設けたことを特徴とする情報記録再生装置を提供
する。
【００１３】
この構成において、ディスクトレイが装置本体より出る方向に移動すると、前記ディス
クトレイにより押されてトレイパネルが開かれ、更に前記ディスクトレイが移動すると、
前記トレイパネルの所定箇所に設けられているローラが前記ディスクトレイの所定ライン
に当接して回転した状態で、前記ディスクトレイが装置本体の外側の所定位置まで導かれ
る。また、前記ディスクトレイが装置本体に収納されるときは、前記トレイパネルのロー
ラが、同じく前記ディスクトレイの所定ラインに当接して逆回転した状態で、前記ディス
クトレイが、装置本体に収納される方向に移動し、前記トレイパネルから離れると、前記
トレイパネルが閉じられる。
【００１４】
この構成によれば、トレイパネルが開いた後、ディスクトレイは、トレイパネルには直
接接触せず、トレイパネルに設けられたローラと当接して移動するので、トレイパネルお
よびディスクトレイは磨耗せず、ディスクトレイはスムーズに移動でき、また、ばねを使
用せずに自重でトレイパネルを閉じることができる。したがって、このようなトレイパネ
ルは、装置の高温試験を行っても変形することがないので、品質の高い情報記録再生装置
を提供できる。また、従来のように、トレイパネルを閉じる方向に付勢するばねが不要と
なるので、ばねのコストおよび、その取り付け作業コストから見ても、その分コストダウ
ンを図れる。
【００１５】
請求項３の発明では、請求項２の発明において、前記所定ラインとは、前記ディスクト
レイの移動方向に沿った両端辺にそれぞれ設けられたローラ当接溝であるので、前記トレ
イパネルのローラは前記ローラ当接溝に当接して回転し、これにより、前記ディスクトレ
イはスムーズに移動することができるようになる。
【００１６】
請求項４の発明では、請求項２，３の発明において、前記トレイパネルの所定箇所とは
、前記ディスクトレイの移動によって前記挿入口が開いて前記ディスクトレイが移動して
いるときに前記ローラ当接溝に当接するような前記トレイパネルの下部付近の箇所である
ので、トレイパネルが開いた後、トレイパネルはローラを介してディスクトレイと接触し
、トレイパネルおよびディスクトレイは磨耗せず、ディスクトレイはスムーズに移動でき
るようになる。
【００１７】
請求項５の発明では、請求項２の発明において、前記ローラの軸芯を前記トレイパネル
の下部付近の所定箇所に予め形成されたローラ軸受け部の軸穴に嵌め込み、前記ローラを
前記ローラ軸受け部に対して回転自在に設けたので、前記ディスクトレイの送出方向の移
動によりトレイパネルが開いた後、前記トレイパネルのローラが回転可能になる構造を実
現できる。しかも、前記ローラの軸芯を前記ローラ軸受け部に簡単に嵌め込むことができ
るので、作業効率が良く、コストダウンにも貢献できる。
【発明の効果】
【００１８】
以上のように本発明によれば、トレイパネルが開いた後、ディスクトレイは、トレイパ
ネルには直接接触せず、トレイパネルに設けられたローラと当接して移動するので、トレ
イパネルおよびディスクトレイは磨耗せず、ディスクトレイはスムーズに移動でき、また
、ばねを使用せずに自重でトレイパネルを閉じることができる。したがって、このような
トレイパネルは、装置の高温試験を行っても変形することがないので、品質の高い情報記
録再生装置を提供できる。また、従来のように、トレイパネルを閉じる方向に付勢するば
ねが不要となるので、ばねのコストおよび、その取り付け作業コストから見ても、その分
コストダウンを図れる。
【００１９】
また、ローラの軸芯をトレイパネルの下部付近の所定箇所に予め形成されたローラ軸受
け部の軸穴に嵌め込み、ローラをローラ軸受け部に対して回転自在に設けたので、ディス
クトレイの送出方向の移動によりトレイパネルが開いた後、トレイパネルのローラが回転
可能になる構造を実現できる。しかも、ローラの軸芯をローラ軸受け部に簡単に嵌め込む
ことができるので、作業効率が良く、コストダウンにも貢献できる。
【発明を実施するための最良の形態】
【００２０】
以下、添付図面を参照しつつ、本発明の実施の形態について説明する。図１は本発明の
一実施形態に係る情報記録再生装置においてトレイパネルが閉じている状態を示すフロン
トパネルの概略的な側断面図である。図２は図１中のローラ付近の拡大図である。図３は
図１中のトレイパネルに対するローラの取り付け構造を説明するための構成図である。図
４は図３中のローラの軸芯付近の拡大図である。図５は図１中のトレイパネルが開いてい
る状態を示すフロントパネルの概略的な側断面図である。図６は図１中のディスクトレイ
のローラ当接溝を説明するためのディスクトレイの簡略化した平面図である。なお、情報
記録再生装置の外観は図７で説明したので、ここでは説明を省略する。
【００２１】
この図１〜図６において、２はフロントパネル１の裏面に形成された一方のレバー軸受
けを示し、３はトレイパネル５を支持する支持レバーを示し、この支持レバー３の先端部
には支軸４が形成されている。なお、レバー軸受け２はフロントパネル１の左右両端付近
に２つ形成されており、支持レバー３はトレイパネル５の左右両端付近に形成されている
。レバー軸受け２は、フロントパネル１の成型時に同時に形成されるものである。また、
支持レバー３および支軸４も、トレイパネル５の成型時に同時に形成されるものである。
【００２２】
ディスクトレイ８の移動方向に沿った両端辺には、ローラ当接溝１３がそれぞれ設けら
れており、トレイ駆動機構９によってディスクトレイ８が駆動され、ディスクトレイ８の
送出方向への移動によって挿入口１ａが開かれ、ディスクトレイ８が移動しているときに
ローラ当接溝１３に当接するようにトレイパネル５の下部付近の所定箇所にはローラ６が
設けられている。ローラ６の軸芯１０は、トレイパネル５の下部付近の所定箇所に予め形
成されたローラ軸受け部１１の軸穴１２に嵌め込まれ、ローラ６をローラ軸受け部１１に
対して回転自在に設けられている。
【００２３】
以上説明した構成において、トレイ駆動機構９の駆動によってディスクトレイ８が装置
本体より送出する方向に移動すると、ディスクトレイ８により押されてトレイパネル５が
開かれ、更にディスクトレイ８が移動すると、トレイパネル５の下部付近の所定箇所に設
けられているローラ６がディスクトレイ８のローラ当接溝１３に当接して回転した状態で
、ディスクトレイ８が装置本体の外側の所定位置まで導かれる。また、ディスクトレイ８
が装置本体に収納されるときは、トレイ駆動機構９によってトレイパネル５のローラ６が
、同じくディスクトレイ８のローラ当接溝１３に当接して逆回転した状態で、ディスクト
レイ８が、装置本体に収納される方向に移動し、トレイパネル５から離れると、トレイパ
ネル５が閉じられる。
【００２４】
なお、本実施形態の情報記録再生装置では、光ディスクのみを装填できるものを示した
が、光ディスクおよびビデオカセットテープを装填できる構成のものでも良い。この場合
は、ビデオカセットテープを装置本体に挿入する際に開かれる扉が別に設けられるが、こ
の扉はユーザがビデオカセットテープを装置本体に出し入れする際に開閉するだけなので
、光ディスクに対するようなトレイパネルの構造を必要としない。
【００２５】
以上のように本実施形態によれば、トレイパネル５が開いた後、ディスクトレイ８は、
トレイパネル５には直接接触せず、トレイパネル５に設けられたローラ６と当接して移動
するので、トレイパネル５およびディスクトレイ８は磨耗せず、ディスクトレイ８はスム
ーズに移動でき、また、従来のように、ばねを使用せずに自重でトレイパネル５を閉じる
ことができる。したがって、このようなトレイパネル５は、装置の高温試験を行っても変
形することがないので、品質の高い情報記録再生装置を提供できる。また、従来のように
、トレイパネルを閉じる方向に付勢するばねが不要となるので、ばねのコストおよび、そ
の取り付け作業コストから見ても、その分コストダウンを図れる。
【００２６】
また、ローラ６の軸芯をトレイパネル５の下部付近の所定箇所に予め形成されたローラ
軸受け部１１の軸穴１２に嵌め込み、ローラ６をローラ軸受け部１１に対して回転自在に
設けたので、ディスクトレイ８の送出方向の移動によりトレイパネル５が開いた後、トレ
イパネル５のローラ６が回転可能になる構造を実現できる。しかも、ローラ６の軸芯１０
をローラ軸受け部１１に簡単に嵌め込むことができるので、作業効率が良く、コストダウ
ンにも貢献できる。
【図面の簡単な説明】
【００２７】
【図１】本発明の一実施形態に係る情報記録再生装置においてトレイパネルが閉じている状態を示すフロントパネルの概略的な側断面図である。
【図２】図１中のローラ付近の拡大図である。
【図３】図１中のトレイパネルに対するローラの取り付け構造を説明するための構成図である。
【図４】図３中のローラの軸芯付近の拡大図である。
【図５】図１中のトレイパネルが開いている状態を示すフロントパネルの概略的な側断面図である。
【図６】図１中のディスクトレイのローラ当接溝を説明するためのディスクトレイの簡略化した平面図である。
【図７】この種の情報記録再生装置の概略的な外観を示す斜視図である。
【図８】従来のトレイパネルおよびその開閉機構の概略的な背面図である。
【符号の説明】
【００２８】
１    フロントパネル
１ａ    挿入口
５    トレイパネル
６    ローラ
１０    軸芯
１１    ローラ軸受け部
１２    軸穴
１３    ローラ当接溝
【図１】
2005302174.tif 000003
【図２】
2005302174.tif 000004
【図３】
2005302174.tif 000005
【図４】
2005302174.tif 000006
【図５】
2005302174.tif 000007
【図６】
2005302174.tif 000008
【図７】
2005302174.tif 000009
【図８】
2005302174.tif 000010